(57)【要約】【課題】架設における支保工に係わる手間が簡便で、構造物上において、安全で、容易且つ迅速に形成が可能となり得るドーム型屋根の架設方法を提供する。【解決手段】予めドーム型屋根１０を５〜８体の分体１にしておき、これらの分体１を順次ドーム状に架設するのみでドーム型屋根１０が形成できるから、構造物上において安全で迅速且つ容易に形成が可能である。また、解体した支保工２を通気口や点検口等よりはるかに大きい分体１の１〜２体分の空間Ｓから外部に撤去でき、支保工２の解体作業を効率的に行うことができる。【選択図】        図４
2004244923.tif 000002
【特許請求の範囲】
【請求項１】
予め構築された円筒形の構造物上部の開口部を覆うドーム型屋根の施工方法であって、ドーム型屋根の中央から放射状に５〜８体に分割した分体を予めそれぞれ形成し、ドーム型屋根の中央直下に設けた支保工により支持しつつ順次前記分体をドーム状に架設し、１〜２体の分体分の空間を残した状態で支保工を解体し、解体した支保工を前記１〜２体の分体分の空間から外部に撤去し、その後前記空間に１〜２体の分体を架設することを特徴とするドーム型屋根の架設方法。
【発明の詳細な説明】
【０００１】
【発明の属する技術分野】
本発明は、とりわけ上水場及び農業用水のタンク屋根など、比較的小型のドーム型屋根に好適に用いることができるドーム型屋根の架設方法に関するものである。
【０００２】
【従来の技術】
従来、タンクやスタジアム等の構造物にドーム型屋根を架設する方法としては、ドームの開口部に棟材や梁材等の骨組みを巡らし、その骨組みに面材を張設してゆくことでドーム型屋根を形成する方法や、ドーム型屋根を架設対象となる構造物とは別の箇所で予め組み立てておき、そのドーム型屋根を吊り上げる等で構造物上に運搬し、構造物の上縁付近とドーム型屋根の辺縁部を連結することで形成する方法などが用いられてきた。
【０００３】
また、安全性や施工の容易性等を目的として、例えば、タンク底部中央位置に吊上げ支柱を樹立し、吊上げ支柱の周囲のタンク底部上において網目状ドーム架構を組立て構成し、この網目状ドーム架構を吊上げ支柱により所定高さに吊上げたのち、円筒状タンク側壁体の頂部周辺と網目状ドーム架構を連結材で連結し、網目状ドーム架構を円筒状タンク側壁体により支承させ、吊上げ支柱を解体除去したのち中心部の連結材を組付ける方法が開示されている。（例えば、特公昭４５−１７７９号公報）
【０００４】
【特許文献１】
特公昭４５−１７７９号公報
【０００５】
【発明が解決しようとする課題】
しかしながら、骨組みに面材を張設してゆく方法では、適宜必要箇所に支保工を組み上げて骨組みを架設し、面材を張設後に解体した支保工を小さい通気口や点検口等から撤去してしており、架設における支保工に係わる手間が煩雑なものとなる。また構造物上における架設に要する時間が長くなり、その間は構造物が使用できなくなり、また高所作業が必要であり安全性にも難点があった。
【０００６】
また予めドーム型屋根全体を組み立てておく方法では、ドーム型屋根を吊り上げるのに非常に大掛かりな機器が必要となり、更にドーム型屋根自体も吊り上げに耐えうる強度を持たせる必要があった。また、ドーム型屋根を組み立てるのに周囲に別途ドーム型屋根と同程度以上の面積の敷地が必要となり、敷地が得られない箇所にはかかる方法は適用できないものであった。
【０００７】
また特許文献１に記載の如き方法では、別途敷地は必要ではないものの円筒状タンクの底面において網目状ドーム架構を組み立てる必要があり、網目状ドーム架構が出来上がるまでの期間建造物は使用できず、また吊上げ支柱を解体撤去するのに狭い出入り口から行う必要があった。
【０００８】
本発明は、上記の如き問題点に鑑みてなされたものであり、架設における支保工に係わる手間が簡便で、構造物上において、安全で、容易且つ迅速に形成が可能となり得るドーム型屋根の架設方法を提供せんとするものである。
【０００９】
【課題を解決するための手段】
上記課題を解決するために、本発明は以下のような構成としている。すなわち、本発明に係わるドーム型屋根の架設方法は、予め構築された円筒形の構造物上部の開口部を覆うドーム型屋根の施工方法であって、ドーム型屋根の中央から放射状に５〜８体に分割した分体を予めそれぞれ形成し、ドーム型屋根の中央直下に設けた支保工により支持しつつ順次前記分体をドーム状に架設し、１〜２体の分体分の空間を残した状態で支保工を解体し、解体した支保工を前記１〜２体の分体分の空間から外部に撤去し、その後前記空間に１〜２体の分体を架設することを特徴とするものである。
【００１０】
予めドーム型屋根を５〜８体の分体にしておき、これらの分体を順次ドーム状に架設するのみでドーム型屋根が形成できるから、構造物上において安全で迅速且つ容易に形成が可能である。また、解体した支保工を通気口や点検口等よりはるかに大きい分体の１〜２体分の空間から外部に撤去でき、支保工の解体作業を効率的に行うことができる。
【００１１】
分体は、１〜２体分の空間を残して支保工を撤去した場合に、既に架設済みの分体同士が固定され、応力が中央部に集中して形状が保持されるものであり、５体より少ないと１〜２体分の空間を残した場合に架設済みの箇所が変形し易くなり、８体より多いと架設は却って煩雑なものとなり、また１〜２体分の空間が狭くなって本発明に係わる方法を用いた場合の利点が小さくなる。
【００１２】
【発明の実施の形態】
本発明の実施の形態について、図面に基づき以下に具体的に説明する。
図１は本発明が適用されるドーム型屋根を有する上水場や農業用水のタンクの一例を示すもので、イ）は斜視図、ロ）はそのＡ−Ａ断面図である。イ）において、上水場のタンクは円筒状の構造物２０上部の開口部に、ドーム型屋根１０が設けられることで形成されており、側部にはドーム型屋根１０上に昇るための階段３０が設置されている。
【００１３】
イ）のＡ−Ａ断面図をロ）に示すが、円筒状の構造物２０の内部には上水Ｗが貯蔵され、上部の開口部にはドーム型屋根１０が設けられて塵埃や動物の進入を防止している。上水Ｗは一般に塩素による殺菌が施されており、その塩素がタンク内に充満することで、ドーム型屋根１０や円筒状の構造物２０に悪影響を及ぼす恐れがある。
【００１４】
円筒状の構造物２０は、コンクリート等腐食の恐れのない材料を用いて形成することで長期間に亘り塩素により腐食される恐れは小さいが、ドーム型屋根１０は屋根それ自体の重量や、積雪等による荷重に耐えうる構造とする必要があり、シェル構造となされることで強度は高められているが、更に高い強度を確保するために骨組みに鉄骨を用いたり、鉄筋コンクリートを用いて形成する必要が出てくる。かかる骨組みや、鉄筋が塩素により比較的短時間に腐食されることで、崩落の危険すら生じることから、腐食の度合いに応じてドーム型屋根１０は更新する必要があり、その簡易且つ迅速な架設方法が求められてきていた。
【００１５】
更に従来の方法では、ドーム屋根の架設完了後、防水のためコーキング処理を全ての隙間に亘って行う必要があり、かかるコーキングは一般に劣化しやすいものであり、前記の如きドーム屋根の更新より早く補修の必要が生じる場合があり、外部からの異物や雨水を遮へいする方法としては不十分なものであった。
【００１６】
図２〜図５は、本発明に係わる実施の一形態を示すもので、図２は分割された分体を示す上面図である。正二十面体を基本形状として、正二十面体の一方の頂点をドーム型屋根と見立てると、上面から見たときに５つの正三角形が頂点を接して配置されている。それぞれの正三角形を、本図に示す如く５つの分体１として分割し、分体１を更に頂点から奇数個ずつの列をなすように細分化してブロック体１１とすることで、ドーム状の曲面に近似したものとすることができる。正二十面体を基本形状とすることで、５つの分体は全く同一の形状となり、各々の分体１ごとに部材の設計や製作を行う必要がなく、部材が共通化できることで製作に係わる手間や時間を低減することができる。
【００１７】
図３は、分体１の形成を示す概略図で、まずイ）に示す如く、アングル材１２によりブロック体１１の骨組みを作成する。この骨組みをロ）に示す如く、上下互い違いに配置して集結するそれぞれの三角形のブロック体１１の頂点部へ接続プレート１４をボルト、ビス、リベット等により締結し、アングル材１２の外側に面材１３を張設することでブロック体１１が形成される。ブロック体１１を順次組み立てて行き、図２に示す如く形状とすることで分体１が形成される。
【００１８】
アングル材１２は、形成するのに用いる材質を特に限定するものではないが、比較的軽量で高い強度が得られる金属を用いて形成するのが好ましく、鉄鋼、ステンレス、アルミニウム等の押出型材、Ｈ型材、管状体等を用いてよいが、前述の如く塩素により腐食する恐れが高い箇所において用いられるものであり、腐食に強く、また屋根自体を軽量とできるアルミニウムを用いて形成するのが好ましい。
【００１９】
また面材１３も、形成するのに用いる材質を特に限定するものではなく、樹脂板、金属板等を用いてよいが、腐食に強いアルミニウムを用いて形成するのが好ましく、とりわけアルミニウム箔を貼着した金属樹脂積層複合板が好適に用いることができる。金属樹脂積層複合板は、金属に近い曲げ強度や曲げ弾性率を有しながら軽量であり、面材の強度をそれ程低下させることなくドーム型屋根１０を軽量のものとでき、アングル材１２や円筒状の構造物２０との接続部にかかる負荷を軽減できる。
【００２０】
かかる構造により、上述の効果に加え、面材１３を隙間なく張設できることでドーム内への異物や雨水の侵入を防止でき、コーキングを行う手間やその劣化による補修を行う必要がなくなり、維持に係わる手間や費用を大幅に節減できる。
【００２１】
図２及び図３において形成された分体１は、図４に示す如く架設される。円筒状の構造体２０の内部には支保工２が設けられ、分体１は支保工２に支持されながら架設される。まず最初の分体１ａは、クレーンＫ等により吊り上げられて円筒状の構造物２０の上方に運搬され、支保工２により支持されつつ接続部３において円筒状の構造体２０の上縁付近にボルト・ナット、接続部材等により強固に固定される。次に隣接する分体１ｂが同様に接続部３に固定され、続いて分体１ａ及び１ｂが、隣接する分体１ａ又は１ｂの接続プレート１４にボルト・ナット等により締結されることで分体同士が強固に固定される。
【００２２】
更に、分体１ｃ、分体１ｄが順次同様の方法で接続部３及び隣接する分体１に固定されて図５の斜視図イ）に示す如く、５体の分体の内、１体を残して架設されることとなる。その状態で支保工２を解体し、残った１体分の空間Ｓから外部に撤去する。上面図ロ）に示す如く分体１ａ〜１ｄはそれぞれが固定され、また分体１ａ〜１ｄは空間Ｓを残し、支保工２による支持が失われても自立保持され、最後に空間Ｓに分体１ｅが、分体１ａ〜１ｄの落下や変形が起こることなく支保工２の頂部２１と接続部３に固定されることにより架設され、ドーム型屋根１０の架設が完了する。
【００２３】
かかる方法によりドーム型屋根１０を架設することで、分体１は、中央から放射状に分割されているから、支保工２は中央付近に１体設ければ架設は可能である。また、ドーム型屋根１０が分体１に分割されていることで、予め組み立てるのに必要なスペースはドーム型屋根１０全体を予め組み立てるよりはるかに小さいものとなり、スペース的な制約を受けることが小さくなる。更に、予め分体１を組み立てておくことで、円筒状の構造物２０上で行う作業を少なくでき、安全面に優れると共に、迅速且つ簡便にドーム型屋根１０の形成が可能となり得る。
【００２４】
【発明の効果】
予めドーム型屋根を５〜８体の分体にしておき、これらの分体を順次ドーム状に架設するのみでドーム型屋根が形成できるから、構造物上において安全で迅速且つ容易に形成が可能である。また、解体した支保工を通気口や点検口等よりはるかに大きい分体の１〜２体分の空間から外部に撤去でき、支保工の解体作業を効率的に行うことができる。
【図面の簡単な説明】
【図１】本発明が適用される、ドーム型屋根を有する上水場や農業用水のタンクの一例を示す説明図である。
【図２】本発明に係わる実施の一形態の、分体の分割された状態を示す上面図である。
【図３】本発明に係わる実施の一形態の、分体の形成を示す説明図である。
【図４】本発明に係わる実施の一形態を示す説明図である。
【図５】本発明に係わる実施の一形態を示す説明図である。
【符号の説明】
１    分体
１１  ブロック体
１２  アングル材
１３  面材
１４  接続プレート
２    支保工
３    接続部
１０  ドーム型屋根
２０  円筒状の構造物
【図１】
2004244923.tif 000003
【図２】
2004244923.tif 000004
【図３】
2004244923.tif 000005
【図４】
2004244923.tif 000006
【図５】
2004244923.tif 000007